(57)【要約】【課題】この発明は、反射ミラーで覆われた白熱ランプヒータを持つ白熱ランプヒータユニットにおいて、該白熱ランプの発光部を該反射ミラー焦点に正確に配置調整でき、且つ、白熱ランプヒーターユニットを、該反射ミラーで覆われた該白熱ランプへの冷却を可能にし、高い効率で点灯しても長寿命である白熱ランプヒータユニットを提供することを目的とする。【解決手段】この発明の白熱ランプヒータユニットは、管状白熱ランプと、該管状白熱ランプを取り囲む樋状の反射ミラーとより成る白熱ランプヒーターユニットにおいて、前記反射ミラーの頂部に該フィラメントを臨む位置調整用のスリット部が設けられ、該反射ミラーの長手方向に沿った側面部に、該フィラメントが貫通して見える一対の調整孔が設けられ、該調整孔を結ぶ仮想線上に該反射ミラーの第1の焦点があることを特徴とする。【選択図】    図１
2006134645.tif 000002
【特許請求の範囲】
【請求項１】
ガラス製管状体の内部にフィラメントを持つ管状白熱ランプと、該管状白熱ランプを取り囲む樋状の反射ミラーとより成る白熱ランプヒーターユニットにおいて、
前記反射ミラーの頂部に該フィラメントを臨むスリット部が設けられ、該反射ミラーの長手方向に沿った側面部に、該フィラメントが貫通して見える一対の調整孔が設けられ、該調整孔を結ぶ仮想線上に該反射ミラーの第1の焦点があることを特徴とする白熱ランプヒーターユニット。
【請求項２】
前記調整孔が、該長手方向の各端部近傍に設けられていることを特徴とする請求項１に記載の白熱ランプヒーターユニット。
【請求項３】
前記調整孔は、前記反射ミラーの長手方向に伸びる長径部と、ランプ管軸に直交する方向における該フィラメントの幅より長い縦穴部とを同時に具備していることを特徴とする請求項１乃至請求項２に記載の白熱ランプヒーターユニット。
【請求項４】
前記調整孔は該管状白熱ランプを形成するガラス管の非変形部を除く位置に設けられていることを特徴とする請求項１乃至請求項３に記載の白熱ランプヒーターユニット。
【発明の詳細な説明】
【技術分野】
【０００１】
この発明は管状白熱ランプを具備した白熱ランプヒーターユニットに関する。特に、ヒーターとして用いられる管状白熱ランプが、集光用のミラー内に具備された白熱ランプヒーターユニットであって該管状白熱ランプの位置調整機構に特徴をもつ白熱ランプヒーターユニットに関する。
【背景技術】
【０００２】
近年、高温加熱炉等種々の加熱処理に光を利用した光加熱炉が利用されている。このような光加熱は、昇温速度が速く、輻射熱による非接触加熱が可能であるので、非常に有用であり、被加熱物の形状に合わせて反射鏡の形状を工夫し処理を行っている。例えば、樋状ミラーを持ち、白熱ランプとして棒状のハロゲンランプを配置した白熱ランプヒーターユニットを用いた装置として、特開２００１−１６５８７８号公報が知られている。
【０００３】
該公報によれば、タングステンからなる発熱体を内部に具備した石英管と、減圧可能な炉室内に配置された樋状ミラーと、該樋状ミラーの一つの焦点に該石英管からなる棒状のヒーターを赤外線源として配置していることが記載されている。また、該棒状のヒーターである白熱ランプは、該炉体本体側の貫通穴を貫き、該石英管の両端のシール部を該炉室外部に露出させている。このように、反射ミラーと棒状の白熱ランプとから構成されるヒーターユニットが記載されている。
【０００４】
図５に従来のヒーターユニットの概略図を示す。図５−ａ）は、該ヒーターユニットの全体像を示す概略図である。５１はヒーターとして用いられる白熱ランプであって、反射ミラー５２の長手方向の両端部には仕切り板５３が設けられている。該仕切り板５３には、該白熱ランプ５１の固定用穴５４が設けられている。また、該白熱ランプ５１の両方の端部は該仕切り板５３より外部に露出され、該白熱ランプ５１の両端に設けられている封止部が熱的に過剰加熱されるのを防止している。該反射ミラー５２の形状は、例えば楕円形の反射面を持つ樋状ミラーであって、該反射ミラー５２の焦点位置近傍に該固定用穴５４を設け、該白熱ランプ５１を固定している。図５−ｂ）は、該ヒーターユニットに組み込まれる該白熱ランプ５１の概略図である。該白熱ランプ５１は、ガラス製管状体５５と、該ガラス製管状体５５の両端部をピンチシールしたシール部５６とからなり、該ガラス製管状体５５には排気管切断部としてのチップ部５７が形成されている。また、該ガラス製管状体５５の内部には、タングステンから成るフィラメント５８が設けられ、該フィラメント５８はモリブデン箔等から成る金属箔部５９と溶接されており、該金属箔部５９の他端には外部リード棒６０が溶接され、電気的に該フィラメント５８へ接続され、外部からの電力を供給可能にしている。また、該ガラス製管状体５５の内部にはバッファガスとしてのＡｒとハロゲンガスとが封入されている。
【０００５】
ところで、最近の光加熱炉の要求の一つとして、極小部分を精度良く照射し、設定温度に正確に加熱することが求められており、このような用途では該樋状ミラーの焦点位置からの白熱ランプのズレが大きな問題となる。しかしながら、前述の公報に記載されているヒーターユニットでは、該反射ミラーの焦点位置に、該白熱ランプ中の発熱体であるフィラメントを正確に配置することは困難である。これは、該公報に記載の方法では、該白熱ランプのガラス製管状体を基準に該ミラーの焦点に該白熱ランプを配置しているが、該白熱ランプ内のフィラメント位置は、必ずしも該ガラス状管状体の中心に配置されておらず、また、個々のランプでもばらつきが有るためである。このため、該白熱ランプの該ガラス状管状体に併せて位置調整しても、最も輝度の高い該フィラメントは該反射ミラーの焦点からずれることとなり、結果として、極小部分を精度良く照射し、設定温度に正確に加熱することができないといった問題が生じる。
【０００６】
また、反射ミラーの焦点にランプ位置を調整する技術としては、例えば特許第２７３０００３号公報が知られている。該公報には、擬似点光源であるショートアーク放電ランプを集光用の楕円ミラーに配置する場合、該ミラーの焦点位置に擬似発光点にあたるアークの位置を調整するため、該楕円ミラーの直交する２軸に調整用の穴を設けることが記載されている。
【０００７】
しかし、ショートアーク放電ランプのような擬似点光源においては、該楕円ミラーに穴を設けて位置調整に利用しても放射される光量はほとんど問題とならないが、白熱ランプのように、長いフィラメントを持つランプにおいては、該フィラメントの全体に渡って穴を開ければ放射される光量に大きく影響し問題となる。
【特許文献１】特開２００１−１６５８７８号公報
【特許文献２】特許第２７３０００３号公報
【発明の開示】
【発明が解決しようとする課題】
【０００８】
この発明が解決しようとする課題は、反射ミラーで覆われた白熱ランプを持つ白熱ランプヒーターユニットにおいて、該白熱ランプの発光部を該反射ミラー焦点に正確に配置調整することを容易にした白熱ランプヒーターユニットを提供することにある。また、該反射ミラーで覆われた該白熱ランプへの冷却を可能にすることにより、該白熱ランプヒーターを高い効率で点灯しても長寿命である白熱ランプヒーターユニットを提供することを目的とする。
【課題を解決するための手段】
【０００９】
この発明の白熱ランプヒーターユニットは、ガラス製管状体の内部にフィラメントを持つ管状白熱ランプと、該管状白熱ランプを取り囲む樋状の反射ミラーとより成る白熱ランプヒーターユニットにおいて、前記反射ミラーの頂部に該フィラメントを臨むスリット部が設けられ、該反射ミラーの長手方向に沿った側面部に、該フィラメントが貫通して見える一対の調整孔が設けられ、該調整孔を結ぶ仮想線上に該反射ミラーの第1の焦点があることを特徴とする。
【００１０】
また、前記構成において、調整孔が、該反射ミラーの長手方向に沿った側面部であって、該長手方向の各端部近傍に設けられていることを特徴とする。
【００１１】
また、該調整孔は、前記反射ミラーの長手方向に伸びる長径部と、ランプ管軸に直交する方向における該フィラメントの幅より長い縦穴部とを同時に具備していることを特徴とする。
【００１２】
更には、調整孔は該管状白熱ランプを形成するガラス管の非変形部を除く位置に設けられていることを特徴とする。
【発明の効果】
【００１３】
本願における請求項１に記載の発明によれば、白熱ランプヒーターユニットは、反射ミラーの頂部に該フィラメントを臨むスリット部が設けられ、側面部に設けられた一対の調整孔を結ぶ仮想線上に焦点が位置しているので、該反射ミラーの焦点に該白熱ランプのフィラメントを容易に配置することができるといった利点がある。具体的には、一方の調整孔から他方の調整孔を見た場合、一方の調整孔と他方の調整孔が重なって見える位置で調整すれば、一対の調整孔を結ぶ仮想線上に該フィラメントを配置でき、該仮想線とスリット部から該樋状ミラーの開口部側に伸びる光軸との交わる点が該ミラーの焦点となる。よって、該スリット部から該樋状ミラーの開口部側を臨む方向でフィラメントを該スリット部に沿って合せ、その後該調整孔から該フィラメントを臨む位置に調整すれば、該樋状ミラーの焦点に該白熱ランプのフィラメントを正確に合わせることができる。
【００１４】
また、該白熱ランプヒータユニットにおいて、光の放射方向は該樋状ミラーの開口側であり、該樋状ミラーの頂部側に放射される光は該樋状ミラーで反射されても、該白熱ランプのフィラメントに遮られ、該樋状ミラーの開口部側にほとんど放射されない。このように反射光を利用できない部分にスリットを設け、該白熱ランプの位置調整に利用している。これにより該ミラーより放射される光量を低下させることなく、該白熱ランプの位置調整が可能である。
【００１５】
更に、該スリット部を利用して冷却風を吸気、または排気することにより、該白熱ランプの管軸方向全体に渡って冷却することが可能となり、高い入力電力を該白熱ランプに投入しても、ガラス製管状体が黒化等の不具合を生じることがないといった利点がある。
【００１６】
また、請求項２に記載の発明によれば、該反射ミラー長手方向の各端部近傍に該調整孔が設けられているので、該反射ミラー長手方向全体に渡って該フィラメントを正確に位置調整できるといった利点がある。
【００１７】
また、請求項３に記載の発明によれば、該調整孔の形状がミラーの長手方向に伸びる長径部を設けることにより、該フィラメントが該反射ミラーの長手方向において傾いていることを容易に知ることができる。また、ランプ管軸に直交する方向における該フィラメントの幅より長い縦穴部を持つことにより、該反射ミラーの光軸方向のズレ（該スリット部から該樋状ミラーの開口側に伸びる軸上の焦点からのズレ）を容易に知ることができ、白熱ランプを移動させて調整する場合に有用である。該調整孔から該フィラメントを観察することで前記のように容易に傾き等を知ることができるので、より正確に該フィラメントを該反射ミラーの焦点に配置できるといった利点がある。
【００１８】
更には、請求項４に記載の発明によれば、ガラス管の非変形部に対応した該調整孔が設けられているので、該フィラメントの位置を変形したガラスによる屈折率の影響を受けることなく正確に調整できるといった利点がある。ここで、ガラス管の非変形部とは、例えば該白熱ランプヒーターの端部に形成されたシール部や、ガラス管状に形成された排気用のチップ部等の変形部を除いた部分を意味している。逆に、該変形部ではガラスの形状変化に伴う屈折率の変化等からフィラメントの位置が正確に観察できないといった不具合を生じる。このため、該調整孔の設けられる位置をこれらの変形部を除く管状部分に配置することで正確な調整が可能となるものである。尚、該フィラメントの垂下を防止するためにサポータを設け、該サポータの固定用にガラス製管状体にディンプル加工したものにおいても同様に、該ガラス管の非変形部に対応した部分で調整することにより、該白熱ランプを該反射ミラーの焦点に正確に調整できる。
【発明を実施するための最良の形態】
【００１９】
本発明の白熱ランプヒーターユニットは、棒状の白熱ランプと反射ミラーとから成り、該白熱ランプのフィラメントを正確に該反射ミラーの焦点に配置するための調整用スリットと調整孔とを備えたものである。以下の実施例に具体的な構成を示す。
【実施例１】
【００２０】
本発明の第１の実施例を図１を用いて説明する。図１−ａ）は、本発明の白熱ランプヒーターユニットの構造を示す側面図である。図１−ａ）では白熱ランプ１の内部に配置されたフィラメント２を樋状反射ミラー３の第１焦点に正確に配置するための調整孔４ａ、または４ｂが、該樋状反射ミラー３の長手方向の各端部５、６近傍に設けられている。また、該樋状反射ミラー３の頂部７には該フィラメント２を臨む位置調整用のスリット部８が設けられている。
【００２１】
図１−ｂ）は、図1−ａ）におけるＡ−Ａ面で切った断面図である。該白熱ランプ１は、ガラス製管状体９と、該ガラス製管状体９の内部に配置されたフィラメント２とからなり、該ガラス製管状体９の内部空間にはハロゲンガスとＡｒ等の不活性ガスが封入されている。また、該白熱ランプ１の内部に配置されているフィラメント２は、該樋状反射ミラー３の焦点Ｒに配置されている。更に、該調整孔４ａ、または４ｂの中心点Ｐ、Ｑを結ぶ仮想線Ｓ上には該樋状反射ミラー３の第１焦点Ｒが来るように該調整孔４ａ、または４ｂの形成される位置が調整されている。
【００２２】
ここにおいて、該樋状反射ミラー３の長手方向（白熱ランプの管軸方向）、及び図中の仮想線Ｓで示されている該長手方向に直交する方向、の位置調整は、該樋状反射ミラー３の頂部７に設けられたスリット部８を利用して行われる。具体的に該長手方向の位置調整として、例えば、該樋状ミラー３の中心と該白熱ランプ１の中心を合わせるとすれば、該スリット部８の長手方向の半分の位置に該白熱ランプ１の長手方向の中心が来るように、該スリット部８から該白熱ランプ１のフィラメント２を見ながら、該白熱ランプ１を長手方向に移動させることにより調整する。
【００２３】
次に、該長手方向に直交する方向（仮想線Ｓの方向）における位置を調整する。具体的には、該樋状反射ミラー３の頂部７方向から該樋状反射ミラー３の開口部１０側を該スリット部８を介して見た場合に、該白熱ランプ１のフィラメント２が該スリット部８全体に渡って見えるように該白熱ランプ１を移動させて調整する。これは、例えば、最初に該スリット部８の一方の端部近傍に該白熱ランプ１の同一方向の端部近傍に配置された該フィラメント２が見えるように該白熱ランプ１を移動させる。次に、該スリット部８の他方の端部近傍に、該白熱ランプ１の他方の端部近傍に配置されたフィラメント２が見えるように、該白熱ランプ１を移動させる。このような調整によって該スリット部８から該白熱ランプ１のフィラメント２が該スリット部８全体に渡って観察できれば、該仮想線Ｓの方向であって、焦点Ｒの存在する軸上に該白熱ランプ１を配置できている。
【００２４】
更に、該樋状反射ミラー３の光軸方向（該樋状反射ミラー３の頂部７から開口部１０へ伸びる方向）の位置調整は該樋状反射ミラー３の長手方向に沿った側面部に設けられた調整孔４ａ、及び４ｂを利用して行われる。具体的には、一方の調整孔４ａ、から他方の調整孔４ｂを見た場合、一方の調整孔４ａと他方の調整孔４ｂが重なって見える位置において、該白熱ランプ１の該フィラメント２が見えるように該白熱ランプ１を該光軸方向に動かして調整する。この調整を該白熱ランプ１の両方の端部近傍に形成された調整孔４ａ、及び４ｂについて行う。これにより、該光軸方向について、該樋状反射ミラー３の焦点位置の高さに調整できる。また、上述のように該樋状反射ミラー３の長手方向の各端部５、６近傍に設けられた各々の該調整孔４ａ、または４ｂから、該白熱ランプ１のフィラメント２が見える状態で、該樋状反射ミラー３に設けられているスリット部８から該白熱ランプ１のフィラメント２が該スリット部８全体に渡って見えていれば、該樋状反射ミラー３の焦点Ｒに該白熱ランプ１のフィラメント２を配置することができている。このように該スリット部８と該調整孔４ａ、４ｂを利用して該白熱ランプ１のフィラメント２を該樋状ミラー３の長手方向、並びに仮想線Ｓ方向、及び光軸方向の３軸に渡って該樋状反射ミラー３の焦点へ確実に配置できる。
【００２５】
本実施例における該スリット部８は、該樋状反射ミラー３の頂部７側に設けられている。該樋状反射ミラー３において該頂部７側は、該白熱ランプ１から放射された光が反射されても該白熱ランプ１に直接戻され、該フィラメント２が遮蔽部材となり、放射される光を有効に利用できない部分で有る。この反射された光が有効に利用できない部分に該スリット部８を設けているので、該白熱ランプ１から放射された光が低下することがないといった利点が有る。
【００２６】
また、該樋状反射ミラー３に設けられた調整孔４は該樋状反射ミラー３の端部５、６近傍に設けられている。これにより該白熱ランプ１の長手方向の傾きを精度良く判断できる。該調整孔４間の距離が長ければ長いほど精度が高くなる。これは、長手方向の微少な傾きがあった場合に、一方の該調整孔４に該フィラメント２が見えるように合わせると、他方の該調整孔４では、該樋状反射ミラー３の光軸方向にずれる距離が、測定する場所が遠くなればなるほど大きくなるためである。つまり、該調整孔４が該樋状反射ミラー３の端部５、６に近ければ近いほど該長手方向の正確な位置調整が可能となる。
【００２７】
また、図１−ｂ）に示した矢印は、該白熱ランプ１を該スリット８を利用して冷却する場合の冷却風の流れを表している。本実施例においては、該スリット８から吸気して冷却する場合を示しており、該樋状反射ミラー３の頂部７側に不図示の吸気ファン等が設けられている。該スリット８は該白熱ランプ１の管軸方向ほぼ全体に渡って形成されており、該白熱ランプ１のガラス製管状体９を管軸方向全体に渡って均等に冷却できる。このような構成を取ることにより、該白熱ランプ１への入力電力を高くしても該ガラス管状体９が黒化等することが無い。尚、本実施例とは逆に、該スリット８から冷却風を吹き出す排気型の冷却手段を取ることもできる。
【００２８】
図２は、該調整孔４の種々の形状について示す図である。図２−ａ）は、略十文字の形状を持つ該調整孔４であって、該樋状反射ミラー３の長手方向に伸びる長径部４１と、白熱ランプ１の管軸に直交する方向における該フィラメント２の幅４２より長い縦穴部４３とから構成されている。該縦穴部４３は該フィラメント２の幅４２より長いため、該フィラメント２が光軸方向の上側にずれているか、下側にずれているかが容易に判断付き、該白熱ランプ１を動かし調整する場合に有用である。また、該調整孔４の形状が略十文字状であれば、該長径部４１の幅４３ｂによって、該フィラメント２のズレを該縦穴部４３で判断できる精度に比べて、より精度良く判断できる。また、該長径部４１が幅４３ｂよりも長いので該樋状反射ミラー３の長手方向において該フィラメント２が傾いていても、該フィラメント２が該調整孔４の端部のどの部分と交わるか等、その交差部の形状を観察することで容易に傾いている方向を知ることができる。
【００２９】
また、図２−ｂ）は、略楕円の形状を持つ該調整孔４４であって、前述の場合と同様に、該樋状反射ミラー３の長手方向に伸びる長径部４５と、白熱ランプ１の管軸に直交する方向における該フィラメント２の幅４２より長い縦穴部４６とから構成されている。該調整孔４４は、略長楕円形になっている。上述の略十文字状の形状に比べて作製が容易であるといった利点がある。また、縦穴部４６の長さ方向で見れば、該調整孔４４の中心部に近づくにつれて徐々に該長径部４５の幅が広がっており、また、中心部付近では、逆に該幅の変化が少なくなっている。つまり、該調整孔４４から観察できる該フィラメント２の長さの変化を見れば該フィラメント２の長手方向の傾きや、光軸方向のズレを容易に知ることができ、該白熱ランプ１の位置を容易に該樋状反射ミラー３の焦点Ｒへ動かすことができる。
【００３０】
更に、図２−ｃ）は、略菱形の形状を持つ該調整孔４７であって、前述の場合と同様に、該樋状反射ミラー３の長手方向に伸びる長径部４８と、白熱ランプ１の管軸に直交する方向における該フィラメント２の幅４２より長い縦穴部４９とから構成されている。該略菱型形状の該調整孔４７が上述の略十文字型や略楕円形の場合と比べて、該フィラメント２の位置ズレ等を知るためには最も好ましい形状である。上述の略楕円形の場合と同様に、該縦穴部４９の長さ方向で見れば、該調整孔４７の中心部に近づくにつれて徐々に該長径部４８の幅が広がっているので、該調整孔４７から観察できる該フィラメント２の長さの変化を見れば、該フィラメント２の長手方向の傾きや、光軸方向のズレを容易に知ることができる。このズレに対して、該白熱ランプの位置を動かして調整すれば、容易に該樋状反射ミラー３の焦点Ｒへ該フィラメント２を合わせることができる。更に、該長径部４８の幅が最も広くなる部分は、該略菱型形状の頂部である点Ｔ、点Ｕを結ぶ対角線であり、この部分（点Ｔ、点Ｕ）に該フィラメント２の幅４２の中心が来るようにすれば、精度良く該白熱ランプ１のフィラメント２を該樋状反射ミラー３の焦点Ｒの位置へ調整できる。
【００３１】
図３には、本発明の白熱ランプヒーターユニットにおける該白熱ランプ１の保持、及び調整機構を持たせた実施例を示す。本実施例においては、樋状ミラー３の両端部に該樋状ミラー３を固定するミラー保持ブロック３１が設けられ、各々の該ミラー保持ブロック３１には該白熱ランプ１の両端近傍を固定するランプ固定ブロック３２が配置された固定ブロック調整穴３４が設けられている。また、該ランプ固定ブロック３２は、該固定ブロック調整穴３４内で該白熱ランプ１の管軸方向に直交する方向における上下、左右方向に可動できる調整ネジ３３が設けられている。該調整ネジ３３を回転させて該ランプ固定ブロック３１を可動させることにより、該白熱ランプ１のフィラメントの位置が該樋状ミラーに設けられた調整孔４４を通して該樋状ミラー３の焦点に確実に上記の図１で示したような手順で調整できる。
【００３２】
更に図４では、該白熱ランプ１を構成するガラス製管状体１５にディンプル加工を施している場合を示す。これは、該フィラメント２の垂下を防止するためにサポータ１４を設け、該サポータ１４の固定用にガラス製管状体１５にディンプル加工部１８を設けたものである。ディンプル加工部１８は、該ガラス製管状体１５における変形部である。その他の変形部としては、該フィラメント２から連接する金属箔２１と外部リード２０とをピンチシールしたシール部１６、該ガラス製管状体１５に形成された排気管切断部としてのチップ部１７、及び該ガラス製管状体１５の端部である曲面部１９等がある。本発明における前記調整孔４ａ、または４ｂからは、上述の変形部を除く該ガラス製管状体１５に相当する部分である非変形部に対応した位置で、前記樋状ミラー３内における該白熱ランプ1の位置を調整する。これらの非変形部で、該フィラメント２の位置を調整すれば、変形したガラスによる屈折率の影響を受けることなく正確に該白熱ランプ１のフィラメント２の位置を該樋状反射ミラーの焦点位置に調整して配置できる。逆に、該変形部ではガラスの形状変化に伴う屈折率の変化等からフィラメント２の位置が正確に観察できないといった不具合を生じる。このため、該調整孔４ａ、または４ｂの設けられる位置をこれらの変形部を除く該ガラス製管状体１５の部分に配置することで正確な位置調整が可能となるものである。
【図面の簡単な説明】
【００３３】
【図１】本発明の白熱ランプヒーターユニットの形状を表す図
【図２】本発明の白熱ランプヒーターユニットにおける調整孔の形状を表す図
【図３】本発明の白熱ランプヒーターユニットの実施例を示す概略図
【図４】本発明の白熱ランプの形状を表す一実施例
【図５】従来の白熱ランプヒーターユニットの形状を表す図
【符号の説明】
【００３４】
１      白熱ランプ
２      フィラメント
３      樋状反射ミラー
４      調整孔
４ａ    調整孔
４ｂ    調整孔
５      端部
６      端部
７      頂部
８      スリット部
９      ガラス製管状体
１０    開口部
１４    調整孔
１５    ガラス製管状体
１６    シール部
１７    チップ部
１８    ディンプル加工部
１９    曲面部
２０    外部リード
２１    金属箔
３１    ミラー保持ブロック
３２    ランプ固定ブロック
３３    調整ネジ
３４    固定ブロック調整穴
４１    長径部
４２    幅
４３    縦穴部
４３ｂ  幅
４４    調整孔
４５    長径部
４６    縦穴部
４７    調整孔
４８    長径部
４９    縦穴部
５１    白熱ランプ
５２    反射ミラー
５３    仕切り板
５４    固定用穴
５５    ガラス製管状体
５６    シール部
５７    チップ部
５８    フィラメント
５９    金属箔部
６０    外部リード棒
Ｐ      中心点
Ｑ      中心点
Ｒ      第１焦点
Ｓ      仮想線
Ｔ      点
Ｕ      点
【図１】
2006134645.tif 000003
【図２】
2006134645.tif 000004
【図３】
2006134645.tif 000005
【図４】
2006134645.tif 000006
【図５】
2006134645.tif 000007